(57)【要約】【課題】機能の充実・安全性・簡潔な構成・製作易化・低コスト・廃棄処理性などを満足させることのできる積層シートを提供する。【解決手段】積層シート１１は表面シート層２１と裏面シート層３１と形状保持部材５１とを備えている。表面シート層２１は吸水性および／または通水性を有する面状素材からなる。裏面シート層３１は吸水性と通水性と防水性とのうちのから選択されるいずれか一つの物性を有する面状素材あるいは吸水性と通水性とを有する面状素材からなる。形状保持部材５１は変形自在な線状素材からなる。表面シート層２１と裏面シート層３１とが、少なくともその縁１２の一部に部材埋め込み用の接着部１３を形成するという条件を満足させて積層一体化されている。形状保持部材５１が部材埋め込み用接着部１３の長さ方向に沿ってその内部に埋め込み保持されている。【選択図】図１
2008188853.tif 000002
【特許請求の範囲】
【請求項１】
表面部側を形成するための表面シート層と裏面部側を形成するための裏面シート層と細長い変形自在な形状保持部材とを備えていること、および、表面シート層が吸水性および／または通水性を有する面状素材からなり、裏面シート層が吸水性と通水性と防水性とのうちから選択されるいずれか一つの物性を有する面状素材あるいは吸水性と通水性とを有する面状素材からなり、かつ、形状保持部材が変形自在な線状素材からなること、および、表面シート層と裏面シート層とが、少なくともその縁の一部に部材埋め込み用の接着部を形成するという条件を満足させて積層一体化されていること、および、形状保持部材が部材埋め込み用接着部の長さ方向に沿ってその内部に埋め込み保持されていることを特徴とする積層シート。
【請求項２】
吸水性および／または断熱性を有する内部介在層が表面シート層と裏面シート層との間に介在されている請求項１に記載の積層シート。
【請求項３】
縁の部分に表面シート層側に向けて隆起する突堤部が形成されている請求項１または２に記載の積層シート。
【請求項４】
形状保持部材を取り除くためのノッチが部材埋め込み用接着部に形成されている請求項１ないし３いずれかに記載の積層シート。
【発明の詳細な説明】
【技術分野】
【０００１】
本発明は水分の拭き取り・汚れ防止・汚れ落とし・防水・保温・保冷など広範囲に適用することのできる積層シートに関する。より詳しくは日常生活・労務・その他においてタオル・バスタオル・手拭き・エプロン・ナプキン・涎掛け・防水カバー・防寒シート（保温シート）・保温カバー・保冷カバー・シーツ・テーブルクロス・マット・ダスター・クリーナ・包装用シートなどに用いて好適な使い捨てタイプの積層シートに関する。
【背景技術】
【０００２】
日常生活などで用いられる使い捨て用品の一つにペーパータオルがある。これについては紙製の吸水シートからなるものが多い。具体的にはカットシート紙や切り取り式のロール巻きシート紙がよく用いられる。このようなペーパータオルの場合、濡れた手や水分の付着した器具を拭いたりする程度であれば、とくに問題なく使用することができる。とはいえ、洗顔や洗髪の際に普通に用いられる布製のタオルなどに比べると、ペーパータオルには、つぎのような難点がある。その一つは紙の強ばりによる触感の悪さである。他の一つは水分吸収能の不足に起因した拭き取り不良である。さらにペーパータオルの場合は、強度不足にともなうタオル破損も起こりがちである。
【０００３】
下記の特許文献１〜４に開示された吸水シートは、上記のような課題を解消することができるものである。それは吸水シートが積層構造であるため、水分の吸収量や強度が大きいからである。もちろんこれら従来品の場合、柔軟で触感のよい素材を表面層や裏面層として採用することにより、使い心地のよさも確保することができる。
【０００４】
【特許文献１】実開平０３−１２３４５７号公報
【特許文献２】実用新案登録第３０７１６７４号公報
【特許文献３】特開２００２−３２６２２９号公報
【特許文献４】特開２００４−２１０３５９号公報
【発明の開示】
【発明が解決しようとする課題】
【０００５】
特許文献１〜４に開示された吸水シートは、触感・吸水性・強度などを改善した点で望ましいものである。しかしながら各種の使用態様に応じて使い勝手をよくするというときは、下記(01)〜(06)に指摘するような課題について、新たな創意や工夫が要求される。
(01)積層構造にしたことで吸水シートの厚みが増す。そのため、吸水シートを所要面にあてがったりその状態を保持したりするのが容易でない。
(02)上記の対策として吸水シートに接着部（接着剤層）を形成したり紐を付けたりすることが実施されているが、これらの手段をしても、吸水シートを所望状態に保持できないことがある。
(03)厚みのある吸水シートは、また、何らかの手段を講じないかぎり折り畳み状態を安定保持するのが容易でなく、これを三角形のような尖鋭形状に折り曲げ保持して角部の汚れ落とし等を行うのも難しい。
(04)水分付着量が多いときなどは、シート表面からオーバフローする付着水によって防水機能やカバー機能が損なわれる。
(05)既述の特許文献技術は、このような課題に対する意識がなく、それを解決するための手段も開示していない。したがってこの種のシート製品では、かかる課題を解決するための新しい技術が必要となる。
(06)上記の各課題を解決するとき、機能の充実をはじめ、できるだけ多くの要求を満足させるのが望ましいが、シート状の構造物にすぎない製品に多くの要求を課した場合には、技術難度が高くなる一方で、目的とする効果の一部が欠落したりする。
【０００６】
本発明はこのような技術課題に鑑み、機能の充実・安全性・簡潔な構成・製作易化・低コスト・廃棄処理性などを満足させることのできる積層シートを提供しようとするものである。
【課題を解決するための手段】
【０００７】
(11)本発明に係る積層シートは、所期の目的を達成するための第一の課題解決手段として下記の技術内容を特徴とするものである。すなわち第一課題解決手段としての積層シートは、表面部側を形成するための表面シート層と裏面部側を形成するための裏面シート層と細長い変形自在な形状保持部材とを備えていること、および、表面シート層が吸水性および／または通水性を有する面状素材からなり、裏面シート層が吸水性と通水性と防水性とのうちから選択されるいずれか一つの物性を有する面状素材あるいは吸水性と通水性とを有する面状素材からなり、かつ、形状保持部材が変形自在な線状素材からなること、および、表面シート層と裏面シート層とが、少なくともその縁の一部に部材埋め込み用の接着部を形成するという条件を満足させて積層一体化されていること、および、形状保持部材が部材埋め込み用接着部の長さ方向に沿ってその内部に埋め込み保持されていることを特徴とする。
(12)本発明に係る積層シートは、所期の目的を達成するための第二の課題解決手段として下記の技術内容を特徴とするものである。すなわち第二課題解決手段としての積層シートは、上記(11)に記載されたものにおいて、吸水性および／または断熱性を有する内部介在層が表面シート層と裏面シート層との間に介在されていることを特徴とする。
(13)本発明に係る積層シートは、所期の目的を達成するための第三の課題解決手段として下記の技術内容を特徴とするものである。すなわち第三課題解決手段としての積層シートは、上記(11)または(12)に記載されたものにおいて、縁の部分に表面シート層側に向けて隆起する突堤部が形成されていることを特徴とする。
(14)本発明に係る積層シートは、所期の目的を達成するための第四の課題解決手段として下記の技術内容を特徴とするものである。すなわち第四課題解決手段としての積層シートは、上記(11)ないし(14)のいずれかに記載されたものにおいて、形状保持部材を取り除くためのノッチが部材埋め込み用接着部に形成されていることを特徴とする。
【発明の効果】
【０００８】
本発明に係る積層シートはつぎのような効果を有する。
(21)積層シートは、所定の物性を有する表面用と裏面用のシート層が積層一体化されたものであるから、水分の拭き取り用・汚れ防止用・汚れ落とし用・防水用・保温用・保冷用などとして提供されている既成のシート製品と同様、タオル・バスタオル・手拭き・エプロン・ナプキン・涎掛け・防水カバー・防寒シート（保温シート）・保温カバー・保冷カバー・シーツ・テーブルクロス・マット・ダスター・クリーナ・包装用シートなどのように多用途化し、しかも低廉な素材を積層するだけでよいから、使い捨て可能な低コストに仕上がる。
(22)表面シート層と裏面シート層との接着部内に埋め込み保持された変形自在な形状保持部材は、少なくとも当該両層の縁の一部にあって接着部の長さ方向に沿うものであり、しかも変形後の形状をそのまま自己保持するものである。一例として、形状保持部材が積層シートの折り畳みにともなって変形したりするときは、当該形状保持部材が自己の変形形状に依存してシート折り畳み状態を保持する。積層シートを身体に添わせたり器物に添わせたりしたときの形状も、それに応じて変形する形状保持部材が保持する。さらに形状保持部材の埋め込み箇所を利用して積層シートの一部を三角形のような尖鋭形状に折り曲げたときも、形状保持部材がその折り曲げ形状を保持する。これは積層シートをそれぞれの使用目的や使用条件に合わせて変形させたとき、それが形状保持部材によって保持されるということである。ゆえにシート使用時の利便性が格段に向上し機能的にも充実する。
(23)形状保持部材は変形自在な線状素材であって小さな力で変形するから、これが人や物に傷害を与えたりすることは通常のケースにおいてあり得ない。加えて形状保持部材は、表面シート層と裏面シート層との接着部内にあって完全包被されているから皆目といってよいほど危険性がない。したがって積層シートの使用や取り扱い上の安全性が十分に確保される。
(24)形状保持部材が埋め込まれるところの接着部は、払拭その他の使用に際してほとんど影響のないシートの縁にある。したがって、形状保持部材によって使用を阻害されることもほとんどない。
(25)表面シート層と裏面シート層についてはこれらを積層一体化するだけのもの、形状保持部材についてはこれを接着部内に埋め込み保持するだけのものであるから、シート構成が簡潔であり、その製作も容易に行える。とくに有効といえるのは、表面シート層と裏面シート層との接着部を利用して形状保持部材を保持していることである。このような兼用構成によるときは、形状保持部材の保持手段を別途要求されることがないので、構成の簡潔化や製作の易化がより顕著になる。
(26)素材が低廉である上、構成が簡潔で製作も容易であるため、総じて積層シートの低コスト化をはかることができる。
(27)吸水性および／または断熱性（保温性・保冷性）を有する内部介在層が表面シート層と裏面シート層との間に介在されている積層シートの場合は、その内部介在層に依存して吸水性および／または断熱性を高めることができる。
(28)縁の部分に表面シート層側に向けて隆起する突堤部が形成されている積層シートの場合は、シート表面からシート外へオーバフローしようとする付着水をその突堤部により阻止することができるので、防水機能やカバー機能がより高まる。
(29)形状保持部材を取り除くためのノッチが部材埋め込み用接着部に形成されている積層シートの場合は、これを処分する上で望ましい。すなわち使用済み積層シートの処分時、ノッチを利用して形状保持部材を他部分から切り離し、それらを分別することによって、積層シートの廃棄処理性を向上させることができる。とくに形状保持部材がリサイクルやリユースできる材質のものであるときは、このような処理が資源ゴミの回収にも通じるようになる。
【発明を実施するための最良の形態】
【０００９】
本発明に係る積層シートの各実施形態について、はじめに図１〜図２の実施形態を説明する。
【００１０】
図１〜図２に例示された積層シート１１において、２１は表面部側を形成するための表面シート層、３１は裏面部側を形成するための裏面シート層、４１は表面シート層２１と裏面シート層３１との間に介在される内部介在層、５１は細長い変形自在な形状保持部材をそれぞれ示す。
【００１１】
表面シート層２１は、吸水性と通水性のうちのいずれか一方または両方の物性を有する面状素材からなる。この場合の面状素材についていえば、それは面状の繊維集合体であってシート層状になっているものである。ここでの吸水性は周知のとおり、繊維集合体を水に浸したときに水分が内部に付着し、繊維間空間を占める空気が水で置換されるという現象をいう。これに対する通水性は、たとえば水平状態に保持された繊維集合体の上面に水を置いたとき、その水が繊維間空間を経由して繊維集合体下へ通り抜ける現象をいう。親水性の面状素材（繊維集合体）からなる表面シート層２１は吸水性と通水性との両方を具備するものが多く、疎水性の面状素材（繊維集合体）からなる表面シート層２１は通水性のみのものが多い。表面シート層２１の具体的一例をあげると、これは紙（再生紙や合成紙を含む）、布（天然繊維製や合成繊維製のものを含む）、不織布（天然繊維製・化学繊維製・混合繊維製のものを含む）のいずれかをシート層状にしたものからなる。さらにいうと、面状素材（繊維集合体）を形成する繊維などは、親水性のものとして、綿などの天然系繊維、レーヨンなどの再生繊維、親水加工が施されたその他の合成繊維、吸水ポリマ等々をあげることができ、疎水性のものとして、ポリエステル繊維、アクリル繊維、ポリイミド（ナイロン）繊維等々をあげることができる。こような素材からなる表面シート層２１については、同種または異種の面状素材が複数積層されたものであってもよい。表面シート層２１は、また、これが身体の表面（皮膚など）に直接接触するものであるとき、柔軟で触感のよいものが採用される。
【００１２】
裏面シート層３１は、吸水性・通水性・防水性のうちから選択されるいずれか一つの物性を有する面状素材、または、吸水性と通水性とを有する面状素材からなる。したがって裏面シート層３１は、吸水性のみを有していたり、通水性のみを有していたり、防水性のみを有していたり、さらには、吸水性と通水性とを有していたりする。ここでの吸水性や通水性は上記と同じである。防水性は裏面シート層３１の一面（片面）から他面（片面）にわたり水を通さない現象をいう。裏面シート層３１が吸水性や通水性を有するものであるとき、それは上記と同様の面状素材（繊維集合体）からなる。これに対し防水性を有する裏面シート層３１は、代表的一例としてプラスチック製の無孔の面状素材からなる。裏面シート層３１が編地や織地のような有孔の面状素材であっても、その孔がきわめて微小で大気圧下で水を通さないものであれば、防水性裏面シート層３１として有効である。他の具体的な裏面シート層３１として、紙とプラスチックフィルムとが貼り合わされたラミネート紙や、編地・織地・不織布のいずれかとプラスチックフィルムとが貼り合わされた複合シートをあげることができる。表面シート層２１と相対接着したり一部を折り曲げ接着したりする場合の裏面シート層３１については、ヒートシールやホットメルトが可能なプラスチック素材からなるのが望ましく、または、そのようなプラスチック素材が基材の片面あるいは両面に付着しているのが望ましい。さらに裏面シート層３１も、典型的な実施形態において柔軟で触感のよいものが採用される。
【００１３】
内部介在層４１も自明のとおり層状化されてシート層状を呈しているものである。内部介在層４１は前記編地・前記織地・前記不織布の単体または複合体のいずれであってもよいが、代表例ではパルプを主体にしたものからなる。その場合の一例ではパルプのみが層状化される。他の一例では、パルプが編地・織地・不織布のいずれか一つ以上で包被されて層状化される。これらいずれの例でも内部介在層４１は吸水性を有するほか、保水性を兼備することがある。内部介在層４１が前記編地・前記織地・前記不織布の単体または複合体からなる場合もこれと同じく吸水性を有し、場合により保水性も有する。
【００１４】
形状保持部材５１は変形自在な線状素材からなる。形状保持部材５１の代表例は曲げの容易な金属線である。材質面で保持部材５１は銅製であったり鉄製であったりする。保持部材５１は、通常、断面円形であるが、断面多角形（例：偏平四角形）や断面異形のものもある。保持部材５１が金属製の撚り線からなることもあり、保持部材５１がプラスチック製のシースで被覆されていることもある。このような形状保持部材５１は、これに力を加えて曲げ変形させたとき、その塑性変形によって曲げ形状を自己保持する。したがって新たに力が作用しないかぎり形状保持部材５１の曲げ形状は保持されるものである。
【００１５】
図１〜図２に例示された長方形を呈している積層シート１１は、それぞれ長方形をなす表面シート層２１と裏面シート層３１との間に内部介在層４１が介在されてこれらが積層されたものである。したがって積層シート１１の四辺部であるところの各縁１２では、表面シート層２１と裏面シート層３１とが互いに重なり合っている。この場合において、これら縁１２の一部すなわち積層シート１１の一辺部が部材埋め込み用の接着部１３として設定され、その内部には当該接着部１３の長さ方向に沿うように形状保持部材５１が介在されている。積層シート１１で表面シート層２１と裏面シート層３１は、接着部１３（縁１２の一部）を含めた各縁１２が接着されているものである。一例として、裏面シート層３１がヒートシールやホットメルトが可能なものであるときは、熱接着手段で両シート層２１・３１の接着部１３や他の縁１２が相対接着される。他の一例では接着部１３を含めた各縁１２の内面に接着剤が塗布されてこれらが相対接着される。かくて積層シート１１の全周囲部が封じられたとき、内部介在層４１は両シート層２１・３１の間に密封され、形状保持部材５１は接着部１３内に埋め込み保持される。積層シート１１は、さらに、表面シート層１１側に向けて隆起する突堤部１４が縁１２の部分に形成される。具体的には各縁１２（接着部１３も含む）が表面シート層１１側へ折り込まれて接着されることにより突堤部１４が形成される。この場合の接着も上記と同じ熱接着手段か接着剤による接着手段で行われる。形状保持部材５１は使用済みの積層シート１１を廃棄するときに当該積層シート１１から分離回収されるのがリサイクルやリユースの点で望ましい。それで、積層シート１１には、これの所定部を切り裂いて形状保持部材５１を分離するのを容易にするため、すなわち、形状保持部材５１の介在する接着部１３（縁１２）を切り裂くのを容易にするため、図１における接着部１３の端部にシート切り裂き用のノッチ１５が形成されている。
【００１６】
このほか、積層シート１１の表面シート層２１および／または裏面シート層３１には、単数または複数の紐６１が必要に応じて取り付けられたり、単数または複数の対物接着層６２が必要に応じて設けられたりする。具体的一例として図１〜図２の実施形態では、複数の紐６１が図１のごとく裏面シート層３１の縁１２の近辺に取り付けられているとともに、複数のスポット状をなす対物接着層６２が図２のごとく裏面シート層３１に点在して設けられている。この場合の各対物接着層６２の接着面には、使用時に剥離される剥離紙６３が付されている。
【００１７】
図１〜図２に例示された積層シート１１については下記(31)〜(37)のような実施形態もある。
(31)表面シート層２１・裏面シート層３１・内部介在層４１のうちのいずれか一つ以上が図１〜図２の例よりも増数される。
(32)図１〜図２の積層シート１１において内部介在層４１が省略される。
(33)図１〜図２の積層シート１１において内部介在層４１が省略されるとともに表面シート層２１および／または裏面シート層３１が図１〜図２の例よりも増数される。
(34)図１〜図２の積層シート１１において、平行する二辺の縁１２内に形状保持部材５１がそれぞれ埋め込み保持されたり、直角なす二辺の縁１２内に形状保持部材５１がそれぞれ埋め込み保持されたり、三辺の縁１２内に形状保持部材５１がそれぞれ埋め込み保持されたり、全周囲の縁内に形状保持部材５１がそれぞれ埋め込み保持されたりする。
(35)図１〜図２の積層シート１１において、表面シート層２１側の突堤部１４が全周囲の縁１２に形成されるのでなく一部の縁１２にだけ形成される。具体的には、平行する二辺の縁１２に沿って突堤部１４が形成されたり、直角なす二辺の縁１２に沿って突堤部１４が形成されたり、三辺の縁１２に沿って突堤部１４が形成されたりする。
(36)図１〜図２の積層シート１１において、紐６１は裏面シート層３１および／またはか表面シート層２１いずれの辺に取り付けられても構わないものである。その場合の紐６１の本数も単数であったり複数であったりする。したがって裏面シート層３１には、図示例よりも本数の多い紐６１が取り付けられることがある。具体的には、各縁１２に対して一本あてとか複数本あてとかで取り付けられる。紐６１は、また、裏面シート層３１のほか表面シート層２１にも取り付けられ、あるいは、裏面シート層３１に代えて表面シート層２１に取り付けられることがある。積層シート１１の紐６１は、さらに、すべて省略されることがある。
(37)図１〜図２の積層シート１１において、対物接着層６２は、多数または複数のものが表面シート層２１にも設けられ、または、裏面シート層３１に代えて表面シート層２１にのみ設けられる。積層シート１１の対物接着層６２がすべて省略されることもある。
【００１８】
本発明に係る積層シートの各実施形態について、つぎに図３の実施形態を説明する。
【００１９】
図３（Ａ）の積層シート１１は外形が三角形、図３（Ｂ）の積層シート１１は外形が正方形、図３（Ｃ）の積層シート１１は外形が台形（等脚台形）、図３（Ｄ）の積層シート１１は外形が五角形である。図３（Ｅ）の積層シート１１は外形が真円形、図３（Ｆ）の積層シート１１は外形が楕円形、図３（Ｇ）の積層シート１１は外形が半円形である。さらに、図３（Ｈ）の積層シート１１は外形が十字型でその一部に半円状の凹みがある。この場合の凹みがＶ字形・Ｕ字形・多角形（例：四角形）のときもある。これらの積層シート１１を外形の類似した形状ごとにグループ分けすると、図３の（Ａ）〜（Ｄ）は多角形グループ、図３の（Ｅ）〜（Ｇ）は円形グループ、図３（Ｈ）は上記二つのグループに属さない異形グループということになる。異形グループには、図示しない鼓形や紡錘形の外形なども含まれる。すでに説明された積層シート１１やここで説明された積層シート１１の任意の辺（縁１２）に、半円形・Ｖ字形・Ｕ字形・多角形などの凹みが設けられることもある。図３（Ａ）〜（Ｈ）の図示例や図示以外のものも含め、ここで説明された各積層シート１１については、図１〜図２の実施形態で述べたあらゆる事項が、技術的な互換性の範囲内ですべて実施できるものである。
【００２０】
図１〜図２や図３（Ｂ）に例示した外形の積層シート１１については、ロール巻きの長尺物で１シートごとに切目（例：ミシン目）の入れたものをつくれば、積層シート１１を一単位（一品）ごとに切り取り使用することができる。
【００２１】
図１〜図２の積層シート１１（ただし紐６１や対物接着層６２のないもの）について、これを「ヘアタオル」として用いるときは図４を参照して以下のようになる。はじめは図４（Ａ）のように、形状保持部材５１のある縁１２を上にした積層シート１１が首とその下の部位にわたって巻き掛けられる。このとき形状保持部材５１を内包した縁１２は首の周りに緩く巻かれてループ形状になる。このループ形状は、変形形状を保持する形状保持部材５１によって保持される。つぎも図４（Ａ）を参照して明らかなように、上の縁１２の両端部１２ａ・１２ｂが、これらと重なり合う縁１２の内側・外側に引っ掛けられ、形状保持部材５１も含めてその引っ掛け部分が捩られる。この捩りで形状保持部材５１が撚り合わせ変形してクランプ機能を奏するので、積層シート１１は解けることなく身体の所定部に保持される。この後は下の縁１２が把持され、把持された積層シート１１が表裏を反転されながら引き上げられる。このようにすることで積層シート１１は頭髪を覆い囲うような筒状になり、しかも形状保持部材５１を内包した縁１２が頭髪の生え際に沿うようになる。積層シート１１がこうなる理由はそのように取り扱われるからである。この筒状のときに積層シート１１で濡れた頭髪を拭いたりする。つぎは筒状の積層シート１１で頭髪を覆うためにこれが頭頂や前頭などで折り畳まれ、その最終的な折り畳み片が前頭側で束ねられた後、形状保持部材５１を内包した縁１２の一部が図４（Ｂ）のように前頭側から頭頂側へと蔓巻状に巻き込まれる。かくて頭髪に被された積層シート１１は引き締められ、頭髪にフィットするようになる。さらに、蔓巻状に変形にした形状保持部材５１がその変形後の形状を自己保持するので、積層シート１１による頭髪包被状態がそのまま保持される。
【００２２】
図５は積層シート１１について他の使用例を二つ示したものである。この二例のうちで積層シート１１を食事の際のナプキンとして用いる図５（Ａ）の場合は、積層シート１１が胸腹部に掛けられる。具体的には図４（Ａ）の説明内容に準じ、形状保持部材５１のある縁１２を上側にした積層シート１１が首とその下の部位にわたって巻き掛けられる。この場合も、上の縁１２の両端部が前例と同様に引っ掛けられたり捩られたりすることがある。ただし積層シート１１の両端部は背中側で重なり合うように配慮される。このほか、対をなす紐６１が背中側で結ばれたり、積層シート１１の裏面シート層３１が対物接着層６２を介して胸腹部の着衣に隔離可能にスポット止め（接着）されたりする。図５の使用例で積層シート１１は、食事の際の食べこぼしやその他で着衣の汚れるのを防止する。このケースで望ましいのは液状の食べこぼしに対する突堤部１４の機能である。それは液状物の食べこぼし量（１回の食べこぼし量）が多く、それが表面シート層２１を伝って流れ落ちるというとき、その食べこぼし液が積層シート１１外にまで漏れ出すのを突堤部１４が堰き止めるからである。堰き止められた食べこぼし液もすぐに積層シート１１内に浸透して吸収されることとなる。
【００２３】
図５（Ｂ）では、同図（Ａ）のよりもサイズの大きい積層シート１１がエプロンとして使用される例を示している。さらにいえば上半身用のエプロンとして用いられている。この使用例も前例と同様、形状保持部材５１のある縁１２・紐６１・対物接着層６２などを介して積層シート１１が身体の所定部に装着される。積層シート１１を下半身用のエプロンとしてするときは、それを下半身に巻き付けるようして着用すればよい。サイズの大きい積層シート１１であれば、上半身の前面から下半身の前面までを覆うことのできるエプロンになる。積層シート１１を外套式の防寒シート（保温シート）として着用するときも図５（Ｂ）のようにすればよい。その場合の積層シート１１の着用態様は、図５（Ｂ）との比較で前後が反対なることもある。
【００２４】
図６は積層シート１１について上記以外の使用例を三つ示したものである。この三例のうち、布団で就寝するときのネックウォーマ（首周りから肩先までの保温シート）として積層シート１１を用いる図６（Ａ）の場合は、所定の部分を覆うように積層シート１１が掛けられる。この上から上布団などを掛けたとき、首周りや肩先などからの隙間風の侵入を積層シート１１が防ぐことになるので、それらの部分を保温することができる。この場合も、形状保持部材５１のある縁１２を変形させながら積層シート１１の上部側を首周りや肩先などにフィットさせることで防寒や保温の効果がより高まる。
【００２５】
図６（Ｂ）で積層シート１１は、これを払拭タイプの清掃用具（ダスター・クリーナなど）として用いるため、使い勝手のよい大きさに折り畳まれたものである。この例において縁１２の接着部１３内に埋め込み保持された形状保持部材５１は、積層シート１１の折り畳みにともない、Ｕ字状に折り曲げられてその形状を保持している。そしてこの状態の形状保持部材５１によって積層シート１１は折り畳み状態を保持される。また、折り畳み状態における積層シート１１の面の広がり状態も形状保持部材５１によって維持しやすくなる。
【００２６】
図６（Ｃ）で積層シート１１は、これを払拭タイプの清掃用具として用いるため、使い勝手のよい形状に折り畳まれたものである。すなわちこの例での積層シート１１は、形状保持部材５１を内包した縁１２で三角形のような尖鋭形状をつくるため、これが３回程度折り込まれている。こうして形成された積層シート１１の尖鋭部は、コーナ部分や狭小部分などの汚れ落としに都合よいのはもちろん、尖鋭部の形状が形状保持部材５１により強度的に安定支持されるのでそれらの箇所を力強くしっかり拭うことができる。
【００２７】
積層シート１１についてさらにいうと、既述の内容に基づいて適当な積層数の積層構造にしたり、適当な大きさの表面積にしたり、適当な材質にしたりにすることで、タオル・手拭き・涎掛け・防水カバー・保温カバー・保冷カバー・シーツ・テーブルクロス・マット・ダスター・クリーナ・包装用シートなどの所望製品も得ることができる。これらは人または物に対して「あてがう」「被せる」「巻く」「敷く」「拭く」「包む」など周知の用法で用いられる。このような用途の積層シート１１も、縁１２の一部に部材埋め込み用の接着部１３が形成され、そこに形状保持部材５１が埋め込まれているから、その形状保持機能を活用することで使用上ないし取り扱い上の利便性を高めることができる。
【００２８】
積層シート１１は使用を終えるごとに廃棄される。通常は１回使用するごとに捨てられる。その場合において、形状保持部材５１を内包した縁１２はこれを切り裂き、そこから形状保持部材５１を取り出すのがよい。理由は積層シート１１の廃棄処理性が高まる一方で、形状保持部材５１がリサイクルやリユースに活用できるからである。この取り出し作業を容易にするため、接着部１３（縁１２）の端部にシート切り裂き用のノッチ１５が形成されている。したがって形状保持部材５１を取り出すときは、ノッチ１５を通じて接着部１３（縁１２）を切り裂けばよい。
【産業上の利用可能性】
【００２９】
本発明に係る積層シートは、日常生活・労務・その他において適用できるなど広範な用途をもつものであり、しかもそれが、機能の充実・安全性・簡潔な構成・製作易化・低コスト・廃棄処理性などを満足させるものが提供できる。したがって産業上の利用可能性が高いといえる。
【図面の簡単な説明】
【００３０】
【図１】本発明に係る積層シートの一実施形態を示した斜視図である。
【図２】図１の縦断面図である。
【図３】本発明に係る積層シートの他の実施形態を示したそれぞれ正面図である。
【図４】本発明係る積層シートの一使用例を略示した説明図である。
【図５】本発明係る積層シートの他の各使用例を略示した説明図である。
【図６】本発明係る積層シートの別の各使用例を略示した説明図である。
【符号の説明】
【００３１】
１１    積層シート
１２    縁
１３    接着部
１４    突堤部
１５    ノッチ
２１    表面シート層
３１    裏面シート層
４１    内部介在層
５１    形状保持部材
【図１】
2008188853.tif 000003
【図２】
2008188853.tif 000004
【図３】
2008188853.tif 000005
【図４】
2008188853.tif 000006
【図５】
2008188853.tif 000007
【図６】
2008188853.tif 000008